(57)【要約】      （修正有）【課題】被綴じ物を綴じるための挿入孔と被綴じ物に穴を開けるための挿入孔とを共通化させることが可能な綴じ具用の押さえ具およびファイルを提供する。【解決手段】紙葉類等を綴じる綴じ具１用の押さえ具２であって、綴じ足９０が挿入される挿入孔２４ａ、２４ｂを有するベース部２０と、スライダ１１、１２と、挿入孔２４ａ、２４ｂに対して挿入可能なパンチ刃４３ａ、４３ｂを有するカバー部４０と、を備えている。ファイル１００は、綴じ足９０が固定されたファイル本体Ｆと綴じ具１用の押さえ具２を備えている。【選択図】図１
2019111756.tif 000002
【特許請求の範囲】
【請求項１】
綴じ足と用いられることで被綴じ物を綴じる綴じ具用の押さえ具であって、
前記綴じ足が挿入される挿入孔を有するベース部と、
前記ベース部に対して移動可能な保持部と、
前記挿入孔に対して挿入可能な孔あけ用挿入部分を有する孔あけ部と、
を備えた綴じ具用の押さえ具。
【請求項２】
前記ベース部と前記孔あけ部とは、前記孔あけ用挿入部分が前記挿入孔に挿入された孔あけ位置関係と、前記孔あけ用挿入部分が前記挿入孔に挿入されていない非孔あけ位置関係と、の少なくとも２つの相対的位置関係を取ることが可能であり、
前記綴じ足は、前記ベース部と前記孔あけ部とが前記非孔あけ位置関係にある場合に、前記ベース部と前記保持部により保持可能である、
請求項１に記載の綴じ具用の押さえ具。
【請求項３】
前記孔あけ部は、前記孔あけ用挿入部分の前記挿入孔に対する挿入進行先とは反対側において広がったカバー本体を有し、
前記カバー本体は、前記ベース部に対して回動可能に連結されている、
請求項１または２に記載の綴じ具用の押さえ具。
【請求項４】
前記保持部は、前記ベース部に対してスライド移動可能である、
請求項１から３のいずれか１項に記載の綴じ具用の押さえ具。
【請求項５】
前記ベース部の長手方向に沿いながら前記挿入孔を跨ぐような前記保持部のスライド移動を可能とする隙間が、前記カバー本体と前記ベース部との間に設けられた隙間と、前記カバー本体に設けられた隙間と、前記ベース部に設けられた隙間と、の少なくともいずれかによって確保されている、
請求項３に従属する請求項４に記載の綴じ具用の押さえ具。
【請求項６】
前記ベース部の前記挿入孔は、前記綴じ足が有する第１綴じ足が挿入される第１挿入孔と、前記綴じ足が有する第２綴じ足が挿入される第２挿入孔とを有しており、
前記保持部は、第１保持部と第２保持部とを有しており、
前記第１保持部と前記第２保持部とは、互いに近づくように前記ベース部に対してスライド移動することにより、前記第１綴じ足と前記第２綴じ足とを互いに近づけた状態で前記綴じ足を保持可能である、
請求項４または５に記載の綴じ具用の押さえ具。
【請求項７】
前記第１保持部と前記第２保持部とが前記綴じ足を保持可能な位置関係にある場合に、前記第１保持部および前記第２保持部の少なくともいずれか一方と前記孔あけ部とを係止させる係止手段を備えた、
請求項６に記載の綴じ具用の押さえ具。
【請求項８】
前記ベース部の前記挿入孔は、前記綴じ足が有する第１綴じ足が挿入される第１挿入孔と、前記綴じ足が有する第２綴じ足が挿入される第２挿入孔とを有しており、
前記保持部は、第１保持部と第２保持部とを有しており、
前記第１保持部と前記第２保持部とは、互いに遠ざかるように前記ベース部に対してスライド移動することにより、前記第１綴じ足と前記第２綴じ足とを互いに遠ざけた状態で前記綴じ足を保持可能である、
請求項４または５に記載の綴じ具用の押さえ具。
【請求項９】
孔あけ用挿入部分が前記挿入孔に挿入された孔あけ位置関係にある場合に、前記孔あけ部は、前記第１保持部と前記第２保持部の間に位置する、
請求項６から８のいずれか１項に記載の綴じ具用の押さえ具。
【請求項１０】
前記綴じ足と、
請求項１から９のいずれか１項に記載の綴じ具用の押さえ具と、
前記綴じ足が固定されたファイル本体と、
を備えたファイル。
【発明の詳細な説明】
【技術分野】
【０００１】
本発明は、綴じ具およびファイルに関する。
【背景技術】
【０００２】
従来より、パンチによって穴が開けられた紙を綴じるファイルがある。このようなファイルには、穴が開けられた紙を綴じるための綴じ具が設けられている。
これに対して、例えば、特許文献１（特開２０１６−１１２８７６号公報）に記載のファイルでは、単に、綴じ具が設けられるだけでなく、さらにパンチも備えたパンチ付きファイルが提案されている。
【発明の開示】
【発明が解決しようとする課題】
【０００３】
ところが、上述のパンチ付きファイルでは、紙を綴じる際に綴じ足を挿入するための挿入孔と、紙に穴を開けるためのパンチ刃を挿入するための挿入孔と、がそれぞれ必要になっている。
【０００４】
本発明は上述した点に鑑みてなされたものであり、本発明の課題は、被綴じ物を綴じるための挿入孔と被綴じ物に穴を開けるための挿入孔とを共通化させることが可能な綴じ具用の押さえ具およびファイルを提供することにある。
【課題を解決するための手段】
【０００５】
第１観点に係る綴じ具用の押さえ具は、綴じ足と用いられることで被綴じ物を綴じる綴じ具用の押さえ具であって、ベース部と、保持部と、孔あけ部と、を備えている。ベース部は、綴じ足が挿入される挿入孔を有している。保持部は、ベース部に対して移動可能である。孔あけ部は、挿入孔に対して挿入可能な孔あけ用挿入部分を有している。
【０００６】
なお、孔あけ部は、ベース部に対して移動できるように取り付けられていてもよいし、ベース部から取り外し可能に構成されていてもよい。
この綴じ具用の押さえ具では、ベース部の挿入孔が、被綴じ物を綴じるための挿入孔と被綴じ物に穴を開けるための挿入孔との両方を兼ねることが可能になる。
【０００７】
第２観点に係る綴じ具用の押さえ具は、第１観点に係る綴じ具用の押さえ具であって、ベース部と孔あけ部とは、孔あけ用挿入部分が挿入孔に挿入された孔あけ位置関係と、孔あけ用挿入部分が挿入孔に挿入されていない非孔あけ位置関係と、の少なくとも２つの相対的位置関係を取ることが可能である。綴じ足は、ベース部と孔あけ部とが非孔あけ位置関係にある場合に、ベース部と保持部により保持可能である。
【０００８】
この綴じ具用の押さえ具では、ベース部と孔あけ部とが非孔あけ位置関係にある場合には、ベース部の挿入孔に綴じ足を挿入させてベース部と保持部により綴じ足を保持することで、被綴じ物を綴じることが可能である。また、ベース部と孔あけ部とが孔あけ位置関係にある場合には、ベース部の挿入孔に孔あけ部の孔あけ用挿入部分が挿入することで、被綴じ物に穴を開けることが可能である。このように、ベース部と孔あけ部との位置関係を変えるだけで、被綴じ物を綴じることと被綴じ物に穴を開けることが可能である。
【０００９】
第３観点に係る綴じ具用の押さえ具は、第１観点または第２観点に係る綴じ具用の押さえ具であって、孔あけ部は、孔あけ用挿入部分の挿入孔に対する挿入進行先とは反対側において広がったカバー本体を有している。カバー本体は、ベース部に対して回動可能に連結されている。
【００１０】
この綴じ具用の押さえ具では、ベース部に対してカバー本体を有する孔あけ部を回動させることができる。このため、ベース部に対して孔あけ部を回動させることで、ベース部の挿入孔に対して孔あけ部の孔あけ用挿入部分を容易に導くことが可能になる。
【００１１】
第４観点に係る綴じ具用の押さえ具は、第１観点から第３観点のいずれかに係る綴じ具用の押さえ具であって、保持部は、ベース部に対してスライド移動可能である。
この綴じ具用の押さえ具では、保持部をベース部に対してスライド移動させるだけで、綴じ足を保持することが可能になる。
【００１２】
第５観点に係る綴じ具用の押さえ具は、第３観点に従属する第４観点に係る綴じ具用の押さえ具であって、ベース部の長手方向に沿いながら挿入孔を跨ぐような保持部のスライド移動を可能とする隙間が、カバー本体とベース部との間に設けられた隙間と、カバー本体に設けられた隙間と、ベース部に設けられた隙間と、の少なくともいずれかによって確保されている。
【００１３】
この綴じ具用の押さえ具では、綴じ足を挿入するための挿入孔を有するベース部に対して、カバー本体を含む孔あけ部を回動可能に連結させた構成であっても、隙間または切り欠きが設けられることで、保持部がベース部に対してスライド移動する際の制約が生じにくい。このため、ベース部に対して孔あけ部を回動可能に連結させた構成であっても、保持部をベース部に対してスライド移動させることによる綴じ足の保持状態を確保できる。
【００１４】
第６観点に係る綴じ具用の押さえ具は、第４観点または第５観点に係る綴じ具用の押さえ具であって、ベース部の挿入孔は、綴じ足が有する第１綴じ足が挿入される第１挿入孔と、綴じ足が有する第２綴じ足が挿入される第２挿入孔とを有している。保持部は、第１保持部と第２保持部とを有している。第１保持部と第２保持部とは、互いに近づくようにベース部に対してスライド移動することにより、第１綴じ足と第２綴じ足とを互いに近づけた状態で綴じ足を保持可能である。
【００１５】
この綴じ具用の押さえ具では、被綴じ物を綴じた状態から第１保持部および第２保持部を互いに離れるように移動させることで綴じ足から綴じ具用押さえ具を外すと、そのままの状態で（第１保持部および第２保持部が互いに離れるように移動されたままの状態で）孔あけ部の孔あけ用挿入部分をベース部の挿入孔に挿入することができる。このため、綴じ具用押さえ具を取り外して穴あけ作業に移る際の作業を簡素化させることができる。
【００１６】
第７観点に係る綴じ具用の押さえ具は、第６観点に係る綴じ具用の押さえ具であって、係止手段を備えている。係止手段は、第１保持部と第２保持部とが綴じ足を保持可能な位置関係にある場合に、第１保持部および第２保持部の少なくともいずれか一方と孔あけ部とを係止させる。
【００１７】
この綴じ具用の押さえ具では、被綴じ物を綴じた状態で、孔あけ部を第１保持部および第２保持部の少なくともいずれか一方に係止させることができるため、被綴じ物を綴じた状態における孔あけ部の位置を安定化させることができる。
【００１８】
第８観点に係る綴じ具用の押さえ具は、第４観点または第５観点に係る綴じ具用の押さえ具であって、ベース部の挿入孔は、綴じ足が有する第１綴じ足が挿入される第１挿入孔と、綴じ足が有する第２綴じ足が挿入される第２挿入孔とを有している。保持部は、第１保持部と第２保持部とを有している。第１保持部と第２保持部とは、互いに遠ざかるようにベース部に対してスライド移動することにより、第１綴じ足と第２綴じ足とを互いに遠ざけた状態で綴じ足を保持可能である。
【００１９】
この綴じ具用の押さえ具では、第１保持部と第２保持部とを互いに離れるように移動させて被綴じ物を綴じるため、一般的な綴じ具の綴じ方と類似しており、使い易い。
第９観点に係る綴じ具用の押さえ具は、第６観点から第８観点のいずれかに係る綴じ具用の押さえ具であって、孔あけ用挿入部分が挿入孔に挿入された孔あけ位置関係にある場合に、孔あけ部は、第１保持部と第２保持部の間に位置する。
【００２０】
この綴じ具用の押さえ具では、ベース部と孔あけ部とが孔あけ位置関係にある場合に、ベース部と孔あけ部との間以外の位置に第１保持部と第２保持部が退避しているため、孔あけ部の孔あけ用挿入部分を、ベース部の挿入孔に対して十分に挿入させることが可能となる。
【００２１】
第１０観点に係るファイルは、綴じ足と、第１観点から第９観点のいずれかに係る綴じ具用の押さえ具と、綴じ足が固定されたファイル本体と、を備えている。
【発明の効果】
【００２２】
本願発明に係る綴じ具用の押さえ具およびファイルでは、ベース部の挿入孔が、被綴じ物を綴じるための挿入孔と被綴じ物に穴を開けるための挿入孔との両方を兼ねることが可能になる。
【図面の簡単な説明】
【００２３】
【図１】一実施形態に係る綴じ具を備えたファイルの概略構成図である。
【図２】（ａ）押さえ具の平面視説明図である。（ｂ）押さえ具のパンチ時の側面視説明図である。（ｃ）押さえ具の開いた状態の側面視説明図である。
【図３】（ａ）綴じ具による綴じ動作の始めの状態を示す外観斜視図である。（ｂ）綴じ具による綴じ動作の途中の状態を示す外観斜視図である。（ｃ）綴じ具による綴じ動作の終わりの状態を示す外観斜視図である。
【図４】（ａ）押さえ具によるパンチ動作の始めの状態を示す外観斜視図である。（ｂ）押さえ具によるパンチ動作の途中の状態を示す外観斜視図である。（ｃ）押さえ具によるパンチ動作の終わりの状態を示す外観斜視図である。
【図５】（ａ）スライダの平面視説明図である。（ｂ）スライダの図５（ａ）のＡ−Ａ断面における断面図である。
【図６】（ａ）ベース部の端部近傍の正面視説明図である。（ｂ）ベース部の端部近傍の平面視説明図である。
【図７】（ａ）〜（ｆ）実施形態に係るスライダとベース部のスライドの様子を示す説明図である。
【図８】（ａ）〜（ｆ）参考例に係るスライダとベース部のスライドの様子を示す説明図である。
【図９】変形例Ａに係る押さえ具の分解斜視図である。
【図１０】（ａ）変形例Ａに係る押さえ具が備えるカバー部の平面視説明図である。（ｂ）変形例Ａに係る押さえ具が備えるカバー部の正面視説明図である。（ｃ）変形例Ａに係る押さえ具が備えるカバー部の側面視説明図である。（ｄ）変形例Ａに係る押さえ具が備えるカバー部の背面視説明図である。
【図１１】（ａ）変形例Ｂに係る綴じ具による綴じ動作の始めの状態を示す外観斜視図である。（ｂ）変形例Ｂに係る綴じ具による綴じ動作の途中の状態を示す外観斜視図である。（ｃ）変形例Ｂに係る綴じ具による綴じ動作の終わりの状態を示す外観斜視図である。
【図１２】（ａ）変形例Ｂに係る押さえ具によるパンチ動作の始めの状態を示す外観斜視図である。（ｂ）変形例Ｂに係る押さえ具によるパンチ動作の終わりの状態を示す外観斜視図である。
【図１３】参考例に係る綴じ具を備えたファイルの概略構成図である。
【図１４】（ａ）参考例に係る綴じ具による綴じ動作の始めの状態を示す外観斜視図である。（ｂ）参考例に係る綴じ具による綴じ動作の途中の状態を示す外観斜視図である。
【図１５】（ａ）参考例に係る押さえ具によるパンチ動作の始めの状態を示す外観斜視図である。（ｂ）参考例に係る押さえ具によるパンチ動作の途中の状態を示す外観斜視図である。（ｃ）参考例に係る押さえ具によるパンチ動作の終わりの状態を示す外観斜視図である。
【発明を実施するための形態】
【００２４】
以下、本発明に係る綴じ具用押さえ具およびファイルの実施形態およびその変形例について、図面に基づいて説明する。なお、本発明に係る綴じ具用押さえ具およびファイルの具体的な構成は、下記の実施形態およびその変形例に限られるものではなく、発明の要旨を逸脱しない範囲で変更可能である。
【００２５】
（１）ファイル
図１は、一実施形態に係る綴じ具１を備えたファイル１００の概略構成図である。なお、特に断らない限り、以下の説明において、図１のＸの矢印が示す方向を前または正面、その反対を後ろまたは背面、Ｙの矢印が示す方向を右、その反対を左、Ｚの矢印が示す方向を上、その反対を下、として説明する。
【００２６】
ファイル１００は、ファイル本体Ｆと、ファイル本体Ｆに固定された綴じ足９０と、綴じ足９０と用いられることで紙葉類等の被綴じ物を綴じる綴じ具１用の押さえ具２と、を備えて構成されている。
【００２７】
綴じ具１は、綴じ足９０および押さえ具２を備えて構成される。
（２）綴じ足
綴じ足９０は、ファイル本体Ｆの任意の箇所に固定して用いられるものであり、扁平形状であって棒状の第１綴じ足９１および第２綴じ足９２を有している。これらの第１綴じ足９１および第２綴じ足９２は、連結部分を介して一部材として構成されてファイル本体Ｆに固定されていてもよいし、別々の部材としてそれぞれ独立してファイル本体Ｆに固定されていてもよい。なお、綴じ足９０には、後述する押さえ具２のベース部２０に設けられた噛み合い突起と２３ａ、２３ｂと噛み合うように構成された図示しない凹凸部が設けられている。
【００２８】
（３）押さえ具
図２（ａ）に押さえ具２の平面視説明図を、図２（ｂ）に押さえ具２のパンチ時の側面視説明図を、図２（ｃ）に押さえ具２の開いた状態の側面視説明図を、それぞれ示す。
【００２９】
また、図３（ａ）〜（ｃ）の各外観斜視図に、綴じ具１による綴じ動作の始め、途中、終わりの各の状態を示す。図４（ａ）〜（ｃ）の各外観斜視図に、押さえ具２によるパンチ動作の始め、途中、終わりの各状態を示す。
【００３０】
押さえ具２は、ベース部２０と、ベース部２０に対してスライド可能に取り付けられたスライダ１０と、ベース部２０に対して回動可能に取り付けられたカバー部４０と、を有して構成されている。
【００３１】
（３−１）ベース部
ベース部２０は、押さえ板本体２１と、収容溝２２と、噛み合い突起２３ａ、２３ｂと、挿入孔２４ａ、２４ｂと、連絡部２５と、ベース側連結部２６と、スライダ用隙間２８ａ、２８ｂと、を有している。
【００３２】
押さえ板本体２１は、長手方向に沿って延びており、上下方向に薄く形成された板状部材である。押さえ板本体２１の上面は、長手方向の両端部分が下方に位置するように構成されており、後述するスライダ１０を外側に配置した状態では、スライダ１０が中央近傍に位置する場合と比較して、スライダ１０をより低い位置に位置させることが可能になっている。押さえ板本体２１は、紙葉類Ｐを綴じる際には、紙葉類Ｐを下方に配置させた状態で、紙葉類Ｐを上から押さえる。押さえ板本体２１には、前側下方および後側下方において長手方向に沿うように、スライダ１０を長手方向に沿ってスライド移動させるためのスライダ用ガイド２１ａが形成されている。
【００３３】
収容溝２２は、押さえ板本体２１の上面の中央近傍において下方に凹んだ部分が長手方向に沿うようにして設けられている。収容溝２２は、紙葉類Ｐを綴じる際に、綴じ足９０を収容する。
【００３４】
挿入孔２４ａ、２４ｂは、収容溝２２の長手方向における両端において上下方向に貫通するように設けられた上面視円形の開口であり、右側の第１挿入孔２４ａと、左側の第２挿入孔２４ｂを有している。挿入孔２４ａ、２４ｂには、紙葉類Ｐを綴じる際には綴じ足９０が挿入されており、紙葉類Ｐにパンチ穴を開ける際には、後述するカバー部４０に設けられたパンチ刃４３ａ、４３ｂが挿入された状態となる。具体的には、紙葉類Ｐを綴じる際には、第１挿入孔２４ａには第１綴じ足９１が挿入され、第２挿入孔２４ｂには第２綴じ足９２が挿入される。また、紙葉類Ｐにパンチ穴を開ける際には、第１挿入孔２４ａには第１パンチ刃４３ａが挿入され、第２挿入孔２４ｂには第２パンチ刃４３ｂが挿入される。
【００３５】
噛み合い突起２３ａ、２３ｂは、収容溝２２における挿入孔２４ａ、２４ｂの内側に形成された複数の突起群によって構成されている。噛み合い突起２３ａ、２３ｂは、紙葉類Ｐを綴じる際に、第１挿入孔２４ａに挿入された第１綴じ足９１が有する凹凸部と噛み合うことで第１綴じ足９１の左右方向の移動を規制する第１噛み合い突起２３ａと、第２挿入孔２４ｂに挿入された第２綴じ足９２が有する凹凸部と噛み合うことで第２綴じ足９２の左右方向の移動を規制する第２噛み合い突起２３ｂを有している。
【００３６】
ベース側連結部２６は、カバー部４０をベース部２０に対して回動可能に支持するための部分であり、左右方向において挿入孔２４ａ、２４ｂと同じ位置まで延びて構成されている。ベース側連結部２６は、後述するカバー部４０のカバー連結部４２ａ、４２ｂが有する回動軸４２ｘを回動可能に軸支するための軸受け２６ｘが形成された連結軸部分２６ａを有している。
【００３７】
スライダ用隙間２８ａ、２８ｂは、押さえ板本体２１とベース側連結部２６との前後方向における間に形成された、右側の第１スライダ用隙間２８ａと、左側の第２スライダ用隙間２８ｂと、を有している。第１スライダ用隙間２８ａは、ベース側連結部２６の右側端部よりも左側に形成されており、第１スライダ１１が第１挿入孔２４ａの右側から左側（外側から内側）に移動することを可能にする。第２スライダ用隙間２８ｂは、ベース側連結部２６の左側端部よりも右側に形成されており、第２スライダ１２が第２挿入孔２４ｂの左側から右側（外側から内側）に移動することを可能にする。
【００３８】
連絡部２５は、第１スライダ用隙間２８ａと第２スライダ用隙間２８ｂとの左右方向における間において、押さえ板本体２１とベース側連結部２６とを前後方向に連絡するように広がった部分である。
【００３９】
（３−２）スライダ
スライダ１０は、ベース部２０の押さえ板本体２１に対してスライド可能に設けられた第１スライダ１１と第２スライダ１２を有している。第１スライダ１１は、押さえ板本体２１の右側をスライド可能領域とし、第２スライダ１２は、押さえ板本体２１の左側をスライド可能領域とする。第１スライダ１１は、上面視において、第１挿入孔２４ａよりも右側に全体を位置させること、および、第１挿入孔２４ａよりも左側に全体を位置させることが可能となっており、カバー部４０を綴じたパンチ時の状態では、カバー部４０よりも右側に位置させることが可能になっている。第２スライダ１２についても同様に、上面視において、第２挿入孔２４ｂよりも左側に全体を位置させること、および、第２挿入孔２４ｂよりも右側に全体を位置させることが可能となっており、カバー部４０を綴じたパンチ時の状態では、カバー部４０よりも左側に位置させることが可能になっている。
【００４０】
第１スライダ１１は、図５（ａ）のスライダ１０の平面視説明図および図５（ｂ）の
スライダ１０の図５（ａ）のＡ−Ａ断面における断面図に示すように、押さえ板本体２１の上方に位置する上方操作部１５と、下方の内側において前後方向に対向するように設けられた一対の第１下方ガイド爪１７と、下方の外側において前後方向に対向するように設けられた一対の第２下方ガイド爪１８と、前後において上方操作部１５に対して第１下方ガイド爪１７および第２下方ガイド爪１８を上下に繋ぐ側部１６と、を有している。なお、一対の第１下方ガイド爪１７の前後方向の間隔は、一対の第２下方ガイド爪１８の前後方向の間隔よりも狭くなるように構成されている。すなわち、第１下方ガイド爪１７は第２下方ガイド爪１８よりも、前後方向における内側を通過するように構成されている。詳細は後述するが、第１下方ガイド爪１７は、上方操作部１５との間でスライダ用ガイド２１ａを上下に挟んでいる。また、同様に、第２下方ガイド爪１８は、上方操作部１５との間でスライダ用ガイド２１ａを上下に挟んでいる。なお、第２スライダ１２は、第１スライダ１１と設置向きが異なるだけであり同様の構造であるため、説明を省略する。
【００４１】
（３−３）カバー部
カバー部４０は、カバー本体４１と、カバー連結部４２ａ、４２ｂと、パンチ刃４３ａ、４３ｂと、を有している。
【００４２】
カバー部４０は、ベース部２０に対して回動可能となるように、カバー連結部４２ａ、４２ｂにおいて軸支されている。
本実施形態では、カバー連結部４２ａ、４２ｂは、右側に位置する第１カバー連結部４２ａと、左側に位置する第２カバー連結部４２ｂを有している。第１カバー連結部４２ａと第２カバー連結部４２ｂのそれぞれからは、内側に向けて延びだした回動軸４２ｘが設けられている。上述のように、当該回動軸４２ｘは、それぞれ、ベース側連結部２６の連結軸部分２６ａの各軸受け２６ｘにおいて軸支されている。
【００４３】
カバー本体４１は、カバー部４０を前側に倒した状態で、押さえ板本体２１のうち第１挿入孔２４ａと第２挿入孔２４ｂとの外側を上から覆うように広がっている。
パンチ刃４３ａ、４３ｂは、カバー部４０を前側に倒した状態（図２（ｂ）参照）で、ベース部２０の第１挿入孔２４ａに挿入される第１パンチ刃４３ａと、第２挿入孔２４ｂに挿入される第２パンチ刃４３ｂを有している。第１パンチ刃４３ａおよび第２パンチ刃４３ｂは、カバー部４０を前側に倒した状態で、先端が下方を向くように、カバー本体４１の下面からさらに下方に突出して設けられている。本実施形態では、第１パンチ刃４３ａおよび第２パンチ刃４３ｂは、その周縁部が先端を構成しており、その中心部は先端よりも少し後退した構造となっている。これにより、紙葉類Ｐにパンチ穴を開ける際にカットされた円弧をよりきれいに形成することが可能になっている。
【００４４】
（４）綴じ動作
押さえ具２とファイル本体Ｆに固定されている綴じ足９０を用いた、紙葉類Ｐの綴じ動作は、図３（ａ）〜（ｂ）に示す通りである。
【００４５】
すなわち、まず、図３では図示を省略している紙葉類Ｐに形成された２つのパンチ穴に対して、第１綴じ足９１と第２綴じ足９２を挿入し、その後、当該紙葉類Ｐを押さえ具２によって上方から押さえることで綴じ動作が行われる。
【００４６】
紙葉類Ｐを押さえ具２によって上方から押さえる際には、図３（ａ）に示すように、カバー部４０をベース部２０に対して開き、第１スライダ１１および第２スライダ１２をそれぞれ外側に退避させた状態として、ベース部２０の第１挿入孔２４ａに第１綴じ足９１を下から挿入し、ベース部２０の第２挿入孔２４ｂに第２綴じ足９２を下から挿入する。
【００４７】
次に、図３（ａ）、（ｂ）、（ｃ）において矢印で示すように、第１スライダ１１と第２スライダ１２を互いに近づくように内側に移動させることで（綴じ位置まで移動させることで）、第１綴じ足９１および第２綴じ足９２を内側に倒しつつベース部２０の収容溝２２内に収容させる。
【００４８】
これにより、第１綴じ足９１は、上からは第１スライダ１１によって、下からはベース部２０によって、上下方向に挟持された状態となり、第１綴じ足９１に形成された図示しない凹凸部が、ベース部２０の収容溝２２内に形成された第１噛み合い突起２３ａと噛み合うことで、移動が規制された状態となる。第２綴じ足９２についても同様に、第２スライダ１２とベース部２０によって上下方向に挟持され、第２綴じ足９２に形成された図示しない凹凸部が第２噛み合い突起２３ｂと噛み合うことで、移動が規制された状態となる。
【００４９】
なお、本実施形態では、第１スライダ１１と第２スライダ１２を内側に移動させた後に、さらに、カバー部４０をベース部２０に対して回動させながらベース部２０に近づくように倒すことで、カバー本体４１に設けられたパンチ刃４３ａ、４３ｂは、上方からはカバー本体４１によって覆われ、下方は各スライダ１１、１２によって覆われた状態（非孔あけ位置関係）となる。特に、カバー本体４１から下方に向けて突出したパンチ刃４３ａ、４３ｂの刃先は、上方からカバー本体４１によって覆われることで、ユーザの手がパンチ刃にアクセスすることを拒むことができる。
【００５０】
（５）パンチ動作
押さえ具２を用いて紙葉類Ｐにパンチ穴を開ける際のパンチ動作は、図４（ａ）〜（ｂ）に示す通りである。
【００５１】
すなわち、まず、紙葉類Ｐを綴じている状態から、カバー部４０をベース部２０に対して開き（非孔あけ位置関係）、第１スライダ１１および第２スライダ１２をそれぞれ外側に退避させることでパンチ位置に移動させ、綴じ足９０を抜く。
【００５２】
そして、図４（ａ）に示すように、ベース部２０および第１スライダ１１および第２スライダ１２の上方に紙葉類Ｐを配置させる。この際、上述したように、第１スライダ１１および第２スライダ１２をベース部２０の第１挿入孔２４ａ、第２挿入孔２４ｂの外側のパンチ位置まで退避させることで、第１スライダ１１および第２スライダ１２の上面を下方に位置させることができており、ベース部２０および第１スライダ１１および第２スライダ１２の各上面の高さ位置を概ね揃えることができるため、パンチ穴を開けようとする紙葉類Ｐを概ねフラットな状態に維持することができる。そして、このように、第１スライダ１１および第２スライダ１２をベース部２０の第１挿入孔２４ａ、第２挿入孔２４ｂの外側のパンチ位置まで退避させることで、パンチ刃４３ａ、４３ｂが設けられたカバー部４０をベース部２０に対して回動させる際に、カバー部４０が第１スライダ１１および第２スライダ１２の間を通過することができるため、カバー部４０と第１スライダ１１や第２スライダ１２が干渉することが無い。
【００５３】
次に、図４（ｂ）、（ｃ）において矢印で示すように、パンチ刃４３ａ、４３ｂが設けられたカバー部４０をベース部２０に近づけるように回動させることで、第１パンチ刃４３ａが紙葉類Ｐにパンチ穴を開けながらベース部２０の第１挿入孔２４ａに挿入され、第２パンチ刃４３ｂも紙葉類Ｐにパンチ穴を開けながらベース部２０の第２挿入孔２４ｂに挿入される（孔あけ位置関係）。なお、第１パンチ刃４３ａおよび第２パンチ刃４３ｂが設けられたカバー部４０は、ベース部２０との連結軸部分を中心として回動することで、常に安定的にベース部２０の第１挿入孔２４ａおよび第２挿入孔２４ｂに導かれる。このため、例えば、カバー部４０をベース部２０から分離可能に構成するような場合と比較して、パンチ動作をよりスムーズに行うことが可能になっている。また、当該カバー部４０の回動の際に、カバー部４０がスライダ１０と干渉することが無いため、カバー部４０を十分に回動させることができ、第１パンチ刃４３ａおよび第２パンチ刃４３ｂをベース部２０の第１挿入孔２４ａおよび第２挿入孔２４ｂに対して十分に挿入させることが可能となっている。
【００５４】
このようにして紙葉類Ｐから切り取られた円形の紙片は、押さえ具２のベース部２０の第１挿入孔２４ａおよび第２挿入孔２４ｂの下方から排出される。
そして、パンチ刃４３ａ、４３ｂが設けられたカバー部４０を、ベース部２０から遠ざけるように回動させることで、パンチ穴が２つ形成された紙葉類Ｐが得られる。
【００５５】
（６）スライド詳細構造
以下、ベース部２０の押さえ板本体２１に形成されたスライダ用ガイド２１ａが、スライダ１０を外側にガイドしながらスライダ１０を下方に導く詳細構造について説明する。
【００５６】
ベース部２０の端部近傍部分を、図６（ａ）の正面視説明図と、図６（ｂ）の平面視説明図にそれぞれ示す。また、図７（ａ）〜（ｆ）の説明図において、本実施形態に係るスライダ１０とベース部２０のスライドの様子を、図８（ａ）〜（ｆ）の説明図において、参考例に係るスライダとベース部９２０のスライドの様子を示す説明図である。
【００５７】
なお、上述した図５にも示すように、スライダ１０が有する一対の第１下方ガイド爪１７の前後方向の間隔は、一対の第２下方ガイド爪１８の前後方向の間隔よりも狭くなるように構成されている。このため、ベース部２０の押さえ板本体２１のスライダ用ガイド２１ａによってスライダ１０がガイドされる際には、スライダ１０の第１下方ガイド爪１７は、第２下方ガイド爪１８よりも、前後方向における内側を通過することになる。
【００５８】
これに対して、ベース部２０の押さえ板本体２１のスライダ用ガイド２１ａの一部には、スライダ１０のうちの第１下方ガイド爪１７をガイドする部分と、第２下方ガイド爪１８をガイドする部分が設けられている。具体的には、図６（ｂ）に示すように、押さえ板本体２１のスライダ用ガイド２１ａは、前後方向内側においてハッチングで示す部分によって、スライダ１０の第１下方ガイド爪１７をガイドしつつ、前後方向外側においてハッチングで示す部分によって、スライダ１０の第２下方ガイド爪１８をガイドする。
【００５９】
ここで、押さえ板本体２１の上面は、載置上面３７と、傾斜上面３８と、退避上面３９と、を有している。押さえ板本体２１の載置上面３７は、パンチ動作の際に紙葉類Ｐが載置される面であり、収容溝２２や挿入孔２４ａ、２４ｂ近傍において水平に広がっている。当該載置上面３７は、押さえ板本体２１のうち最も高い位置に設けられている。押さえ板本体２１の退避上面３９は、スライダ１０をパンチ位置に退避させた際にスライダ１０の上方操作部１５の下方に位置する部分であり、載置上面３７よりも高さ方向において低い位置で水平に広がっている。押さえ板本体２１の傾斜上面３８は、載置上面３７と退避上面３９を繋ぐように傾斜した部分である。
【００６０】
また、スライダ用ガイド２１ａは、綴じ位置ストッパ３１、綴じ位置押さえ部３１ａ、綴じ位置側ガイド３２、上方膨出部３３、外側水平ガイド３４ａ、外側下方ガイド３４ｂ、内側下方ガイド３５ａ、内側水平ガイド３５ｂ、パンチ位置ストッパ３６、パンチ位置押さえ３６ａを有して構成されている。綴じ位置ストッパ３１は、スライダ１０がパンチ位置側から綴じ位置側に移動する際の限界を規制するように、下方に伸び出した部分である。綴じ位置押さえ部３１ａは、スライダ１０の第１下方ガイド爪１７が綴じ位置ストッパ３１に当接している状態で、第１下方ガイド爪１７を上から下に押さえるために下方に膨出して形成されている。綴じ位置側ガイド３２は、綴じ位置押さえ部３１ａと上方膨出部３３の手前の間で、ベース部２０の長手方向に沿うように水平に広がった部分である。上方膨出部３３は、押さえ板本体２１の上面のうちの載置上面３７の一部から傾斜上面３８にかかる部分の下方に位置しており、綴じ位置側ガイド３２よりも高い位置に設けられている。外側水平ガイド３４ａは、綴じ位置側ガイド３２と概ね同じ高さ位置において水平に広がるように設けられており、内側下方ガイド３５ａおよび内側水平ガイド３５ｂの前後方向外側に位置しており、スライダ１０の第２下方ガイド爪１８をガイドする。外側下方ガイド３４ｂは、外側水平ガイド３４ａからパンチ位置押さえ３６ａに導くように下方に膨出して構成されており、内側水平ガイド３５ｂの前後方向外側に位置しており、スライダ１０の第２下方ガイド爪１８をガイドする。内側下方ガイド３５ａは、外側水平ガイド３４ａよりも低い高さ位置に導くように下方に膨出して構成されており、外側水平ガイド３４ａの前後方向内側に位置しており、スライダ１０の第１下方ガイド爪１７をガイドする。内側水平ガイド３５ｂは、内側下方ガイド３５ａとパンチ位置押さえ３６ａとの間において、外側水平ガイド３４ａよりも低い位置で水平に広がるように設けられており、外側水平ガイド３４ａおよび外側下方ガイド３４ｂの前後方向内側に位置しており、スライダ１０の第１下方ガイド爪１７をガイドする。パンチ位置ストッパ３６は、スライダ１０が綴じ位置側からパンチ位置側に移動する際の限界を規制するように、下方に伸び出した部分である。パンチ位置押さえ３６ａは、スライダ１０の第２下方ガイド爪１８がパンチ位置ストッパ３６に当接している状態で、第２下方ガイド爪１８を上から下に押さえるために下方に膨出して形成されている。
【００６１】
（６−１）実施形態のスライド移動
上述の本実施形態において、押さえ板本体２１に対してスライダ１０を綴じ位置からパンチ位置にスライド移動させると、図７（ａ）〜（ｆ）に示すように移動することとなる。
【００６２】
具体的には、まず、図７（ａ）〜（ｃ）に示すように、スライダ１０は、第１下方ガイド爪１７が綴じ位置側ガイド３２によってガイドされつつ、第２下方ガイド爪１８が外側水平ガイド３４ａによってガイドされるように移動する。
【００６３】
次に、図７（ｄ）に示すように、スライダ１０の第２下方ガイド爪１８は、外側下方ガイド３４ｂによって下方に導かれるが、この状態では、スライダ１０の第１下方ガイド爪１７の上方に上方膨出部３３が位置する状態となるため、スライダ１０は、スムーズに、第２下方ガイド爪１８が下方となって第１下方ガイド爪１７が上方となって傾斜した姿勢となる。
【００６４】
その後、図７（ｅ）〜（ｆ）に示すように、スライダ１０の第２下方ガイド爪１８は、パンチ位置押さえ３６ａによって下方に導かれ、スライダ１０の第１下方ガイド爪１７は、上方膨出部３３を通過しつつ内側下方ガイド３５ａによって下方に導かれる。そして、スライダ１０は、第１下方ガイド爪１７が内側水平ガイド３５ｂにガイドされながら、第２下方ガイド爪１８がパンチ位置ストッパ３６に当接することでパンチ位置に到達することとなる。
【００６５】
これにより、スライダ１０をパンチ位置に退避させた際に、スライダ１０の上方操作部１５をより低く位置させることが可能となるため、パンチ動作時に紙葉類Ｐを載置させた際に紙葉類Ｐを水平に近い姿勢に維持させることができる。
【００６６】
（６−２）比較例のスライド移動
なお、本実施形態のベース部２０に対する比較例であるベース部９２０と、上記実施形態と同じスライダ１０を用いて、綴じ位置からパンチ位置にスライド移動させると、図８（ａ）〜（ｆ）に示すように移動することとなる。
【００６７】
ここで、ベース部９２０では、上記実施形態のベース部２０における上方膨出部３３および外側水平ガイド３４ａおよび外側下方ガイド３４ｂが設けられておらず、外側水平ガイド３４ａおよび外側下方ガイド３４ｂに対応する部分では、内側下方ガイド３５ａおよび内側水平ガイド３５ｂが前後方向に広がるように形成された構造となっている。
【００６８】
当該比較例であるベース部９２０を用いた場合には、図８（ｃ）〜（ｄ）に示すように、スライダ１０を傾斜させる際に、スライダ１０の上方操作部１５の下面が押さえ板本体２１の傾斜上面３８の上端部分に、スライダ１０の第２下方ガイド爪１８の綴じ位置側の上部が内側水平ガイド３５ｂに、スライダ１０の第１下方ガイド爪１７の綴じ位置側の上部が綴じ位置側ガイド３２に、それぞれ干渉してしまい、スライダ１０をスムーズに移動させることができない。
【００６９】
（７）本実施形態の特徴
本実施形態の押さえ具２およびこれを備えたファイル１００によれば、綴じ動作の際には、押さえ具２のベース部２０に設けられた第１挿入孔２４ａと第２挿入孔２４ｂを、第１綴じ足９１と第２綴じ足９２の挿入対象として用いることで、紙葉類Ｐを綴じることを可能としつつ、パンチ動作の際には、押さえ具２のカバー部４０に設けられた第１パンチ刃４３ａと第２パンチ刃４３ｂの挿入対象として用いることで、紙葉類Ｐにパンチ穴を開けることを可能としている。
【００７０】
このため、綴じ動作とパンチ動作において、押さえ具２のベース部２０に設けられた第１挿入孔２４ａと第２挿入孔２４ｂを流用することが可能になっている。
（８）変形例
上記実施形態では、本発明の実施形態の一例を説明したが、上記実施形態はなんら本願発明を限定する趣旨ではなく、上記実施形態には限られない。本願発明は、その趣旨を逸脱しない範囲で以下に述べるように適宜変更した態様についても含まれる。
【００７１】
（８−１）変形例Ａ
図９の分解斜視図に、変形例Ａに係る押さえ具２０２を示す。また、押さえ具２０２が備えるカバー部２４０について、図１０（ａ）に正面視説明図、図１０（ｂ）に正面視説明図、図１０（ｃ）に側面視説明図、図１０（ｄ）に背面視説明図をそれぞれ示す。
【００７２】
上記実施形態では、ベース部２０とカバー部４０とが２箇所で回動可能に連結された構成を例に挙げて説明したが、変形例Ａに係る押さえ具２０２が備えるベース部２２０とカバー部２４０のように、３箇所で回動可能に連結されていてもよい。具体的には、当該カバー部２４０は、左右の各端部のカバー連結部４２ｓ、４２ｕだけでなく、さらにその間のカバー連結部４２ｔが設けられており、それぞれ回動軸４２ｘが左右方向に伸び出している。また、ベース部２２０には、連結時にカバー連結部４２ｓとカバー連結部４２ｔの間に位置する連結軸部分２６ｓと、連結時にカバー連結部４２ｔとカバー連結部４２ｕの間に位置する連結軸部分２６ｔと、を有している。このように、ベース部２２０とカバー部２４０を３箇所で連結させることで、回動動作をより安定化させつつ、構造を強化させることが可能になる。
【００７３】
また、カバー部２４０の上面において左右方向に延びた溝およびその両端において上下に貫通した開口部を有するパンチ刃取り付け部４６を設け、当該パンチ刃取り付け部４６に対して、第１パンチ刃２４３ａおよび第２パンチ刃２４３ｂが設けられたパンチ刃部材２４３を取り付ける構造としてもよい。また、図９に示す第１パンチ刃２４３ａおよび第２パンチ刃２４３ｂのように、先端の円周部分のうちの一部が奥まった形状となるように刃先を構成してもよい。このように刃先を構成することで、パンチ動作時に生じる略円形状の紙片を、完全に切断しきるのではなく、紙葉類Ｐの本体に繋がった状態を維持させることが可能となり、ゴミが生じにくいようにすることが可能となる。なお、パンチ動作時に生じる略円形状の紙片は、紙葉類Ｐの本体と繋がった部分において折り込むことで、パンチ穴を用いた閉じ動作が可能な状態とすることができる。
【００７４】
また、上記実施形態では、綴じ動作を行う際に、スライダ１０を綴じ位置に移動させて紙葉類Ｐを綴じた後、単に、カバー部４０をベース部２０に対して回動させて閉じ、パンチ刃４３ａ、４３ｂを各スライダ１０の上に位置させる構造を例に挙げて説明した。これに対して、例えば、図９、図１０に示すように、カバー部２４０の下面において、第１スライダ２１１および第２スライダ２１２の綴じ位置に対応する位置において上方に凹んだ第１スライダ収容凹部４７ａおよび第２スライダ収容凹部４７ｂを形成してもよい。なお、ここでは、第１スライダ２１１および第２スライダ２１２の綴じ位置は、第１パンチ刃２４３ａや第２パンチ刃２４３ｂよりも左右方向における内側としている。以上の構成により、第１スライダ２１１および第２スライダ２１２を綴じ位置に移動させて紙葉類Ｐを綴じた後に、ベース部２２０に対してカバー部２４０を回動させて閉じた状態において、押さえ具２０２の上下方向の厚みを小さくすることが可能となる。
【００７５】
さらに、図９、図１０に示すように、当該押さえ具２０２において、第１スライダ２１１に第１係止溝１１ｘを、第２スライダ２１２に第２係止溝１２ｘをそれぞれ設け、カバー部２４０に第１係止爪４４ｘと第２係止爪４５ｘを設けるようにしてもよい。具体的には、第１係止溝１１ｘは、第１スライダ２１１の前側の側部１６の上端部近傍において後ろ側に向けて凹むようにして設けられている（第２係止溝１２ｘも同様）。そして、第１係止爪４４ｘは、第１スライダ２１１および第２スライダ２１２を綴じ位置に移動させた状態でカバー部２４０を閉じた際に、第１スライダ２１１の第１係止溝１１ｘに対して係止することが可能な位置に設けられている（第２係止爪４５ｘ）。このような係止構造を用いることで、第１スライダ２１１および第２スライダ２１２を綴じ位置に移動させて紙葉類Ｐを綴じた後に、ベース部２２０に対してカバー部２４０を回動させて閉じる際に、カバー部２４０の第１係止爪４４ｘを第１スライダ２１１の第１係止溝１１ｘに係止させ、カバー部２４０の第２係止爪４５ｘを第２スライダ２１２の第２係止溝１２ｘに係止させることで、カバー部２４０が開きにくい構造とすることができる。これにより、カバー部２４０の位置を安定化させることができ、カバー部２４０が開くことによる第１パンチ刃２４３ａや第２パンチ刃２４３ｂが剥き出し状態となることを抑制できる。
【００７６】
なお、変形例Ａに関する上述した構成以外の他の構成は、上記実施形態と概ね同様である。
（８−２）変形例Ｂ
図１１（ａ）〜（ｃ）の各外観斜視図に、変形例Ｂに係る押さえ具３０２を用いた綴じ動作の始め、途中、終わりの各状態を示す。図１２（ａ）〜（ｂ）の外観斜視図に、変形例Ｂに係る押さえ具３０２を用いたパンチ動作の始め、終わりの各状態を示す。
【００７７】
上記実施形態では、第１スライダ１１と第２スライダ１２とが互いに近づくように左右方向の内側に移動することで、綴じ足９０を保持して、紙葉類Ｐを閉じる押さえ具２を例に挙げて説明したが、例えば、変形例Ｂに係る押さえ具３０２としてもよい。当該押さえ具３０２によれば、第１スライダ３１１と第２スライダ３１２を互いに遠ざかるように左右方向の外側に移動させることで、第１綴じ足９１と第２綴じ足９２とを左右方向における外側に倒しつつ保持して、紙葉類Ｐを閉じることが可能である。なお、当該押さえ具３０２が備えるベース部３２０は、上記実施形態における収容溝２２に対応する構成として、第１挿入孔２４ａ、第２挿入孔２４ｂの左右方向における外側に設けられた第１収容溝２２ａ、第２収容溝２２ｂとして備える。また、当該ベース部３２０は、上記実施形態における第１噛み合い突起２３ａ、第２噛み合い突起２３ｂに対応する構成として、第１挿入孔２４ａ、第２挿入孔２４ｂの左右方向における外側に設けられた第１噛み合い突起３２３ａ、第２噛み合い突起３２３ｂとして備える。
【００７８】
なお、変形例Ａに関する上述した構成以外の他の構成は、上記実施形態と概ね同様である。
以上のように、変形例Ｂに係る押さえ具３０２による綴じ動作は、第１スライダ３１１と第２スライダ３１２を互いに遠ざかるように左右方向の外側に移動させて行われる。このため、綴じ動作が一般的な綴じ具や押さえ具による綴じ動作と類似しており、ユーザが慣れているため、使い易い。
【００７９】
（８−３）変形例Ｃ
上記変形例Ｂの押さえ具３０２では、第１スライダ３１１と第２スライダ３１２を互いに遠ざかるように左右方向の外側に移動させて、第１綴じ足９１と第２綴じ足９２とを左右方向における外側に倒しつつ保持して、紙葉類Ｐを閉じる場合を例に挙げて説明したが、当該構成において、第１パンチ刃４３ａ及び第２パンチ刃４３ｂの代わりに、綴じた状態において第１綴じ足９１や第２綴じ足９２との干渉が生じないように、刃の円周部分の一部が部分的に欠損したような形状のパンチ刃を用いるようにしてもよい。
【００８０】
このような部分的に欠損したパンチ刃を用いる場合には、パンチ動作をしたとしても紙葉類Ｐに完全な穴を開けることができないこととなるが、部分的に繋がった箇所をユーザが適宜折り込む、切断する等によりパンチ穴を形成させることが可能である。なお、部分的に欠損したパンチ刃を用いる場合には、綴じた状態においてパンチ刃の一部がベース部３２０の第１挿入孔２４ａ、第２挿入孔２４ｂに挿入された状態とすることができるため、カバー部４０をベース部３２０に対してより近づけることができ、押さえ具３０２の高さを薄くすることが可能になる。
【００８１】
（９）参考例
図１３に、参考例に係る綴じ具４０１を備えたファイル４００の概略構成図を示す。図１４（ａ）〜（ｂ）の各外観斜視図に、綴じ具４０１による綴じ動作の始め、途中の各状態を示す。図１５（ａ）〜（ｃ）の各外観斜視図に、綴じ具４０１によるパンチ動作の始め、途中、終わりの各状態を示す。
【００８２】
綴じ具４０１は、綴じ足４９０と押さえ具４０２を有して構成されている。
綴じ足４９０は、ファイル４００に固定されて用いられ、第１綴じ足４９１および第２綴じ足４９２を有している。第１綴じ足４９１および第２綴じ足４９２は、いずれも各長手方向がファイル本体Ｆの折り目に略垂直な方向となるようにしてファイル本体Ｆに固定されている。
【００８３】
押さえ具４０２は、ベースパネル４２０と、回動パネル４４０と、ベースパネル４２０と回動パネル４４０を回動可能に連結させる連結部４６２ａ、４２６ｂと、を備えている。
【００８４】
ベースパネル４２０は、押さえパネル本体４２１と、収容溝４２２ａ、４２２ｂと、噛み合い突起４２３ａ、４２３ｂと、挿入孔４２４ａ、４２４ｂと、を有している。
押さえパネル本体４２１は、長手方向に沿って延びており、上下方向に薄く形成されたパネルである。押さえパネル本体４２１は、紙葉類Ｐを綴じる際には、紙葉類Ｐを下方に配置させた状態で、紙葉類Ｐを上から押さえる。
【００８５】
挿入孔４２４ａ、４２４ｂは、押さえパネル本体４２１において左右方向における間隔を開けて並んで配置された右側の第１挿入孔４２４ａと左側の第２挿入孔４２４ｂを有している。第１挿入孔４２４ａと第２挿入孔４２４ｂは、いずれも押さえパネル本体４２１を上下方向に貫通するように設けられた平面視円形の開口である。第１挿入孔４２４ａと第２挿入孔４２４ｂには、紙葉類Ｐを綴じる際には、綴じ足４９０が挿入され、紙葉類Ｐにパンチ穴を開ける際には、後述する回動パネル４４０に設けられたパンチ刃４４３ａ、４４３ｂが挿入された状態となる。具体的には、紙葉類Ｐを綴じる際には、第１挿入孔４２４ａには第１綴じ足４９１が挿入され、第２挿入孔４２４ｂには第２綴じ足４９２が挿入される。また、紙葉類Ｐにパンチ穴を開ける際には、第１挿入孔４２４ａには第１パンチ刃４４３ａが挿入され、第２挿入孔４２４ｂには第２パンチ刃４４３ｂが挿入される。
【００８６】
収容溝４２２は、押さえパネル本体４２１において、下方に凹んだ溝が第１挿入孔４２４ａから手前側に延びるようにして形成された第１収容溝４２２ａと、下方に凹んだ溝が第２挿入孔４２４ｂから手前側に延びるようにして形成された第２収容溝４２２ｂと、を有している。第１収容溝４２２ａと第２収容溝４２２ｂは、それぞれ、紙葉類Ｐを綴じる際に、第１綴じ足４９１と第２綴じ足４９２を内部に収容する。
【００８７】
噛み合い突起４２３ａ、４２３ｂは、第１収容溝４２２ａに形成された複数の突起群からなる第１噛み合い突起４２３ａと、第２収容溝４２２ｂに形成された複数の突起群からなる第２噛み合い突起４２３ｂと、を有している。第１噛み合い突起２３ａは、紙葉類Ｐを綴じる際に、第１挿入孔４２４ａに挿入された第１綴じ足４９１が有する凹凸部と噛み合うことで第１綴じ足４９１の前後方向の移動を規制する。第２噛み合い突起４２３ｂも同様に、第２挿入孔４２４ｂに挿入された第２綴じ足４９２が有する凹凸部と噛み合うことで第２綴じ足４９２の前後方向の移動を規制する。
【００８８】
ベースパネル４２０の後ろ側端部と回動パネル４４０の後ろ側端部とは、左右方向が回動軸方向となるように構成された連結部４２６ａ、４２６ｂを介して、３６０度近く回動可能となるように連結されている。なお、綴じ動作の際には、ベースパネル４２０のうち紙葉類Ｐを押さえる側の面とは反対側の面（上面）と、回動パネル４４０のパンチ刃４４３ａ、４４３ｂが設けられていない側の面と、が互いに近づき、対向する。また、パンチ動作の際には、ベースパネル４２０のうち紙葉類Ｐを押さえる側の面（下面）と、回動パネル４４０のパンチ刃４４３ａ、４４３ｂが設けられている側の面と、が互いに近づき、対向する。
【００８９】
回動パネル４４０は、回動パネル本体４４１と、パンチ刃４４３ａ、４４３ｂと、ツマミ４４５ａ、４４５ｂと、保持部４４６ａ、４４６ｂと、を有している。
回動パネル本体４４１は、押さえパネル本体４２１に対応した形状および大きさを有している。
【００９０】
パンチ刃４４３ａ、４４３ｂは、ベースパネル４２０のうち紙葉類Ｐを押さえる側の面（下面）と、回動パネル４４０のパンチ刃４４３ａ、４４３ｂが設けられている側の面と、が互いに近づくように回動させた際に（図１５（ａ）参照）、ベースパネル４２０の第１挿入孔４２４ａに挿入される第１パンチ刃４４３ａと、第２挿入孔４２４ｂに挿入される第２パンチ刃４４３ｂと、を有している。
【００９１】
ツマミ４４５ａ、４４５ｂは、回動パネル本体４４１のうち、第１パンチ刃４４３ａの連結部４６２ａ側とは反対側の端部から膨出するように形成された第１ツマミ４４５ａと、第２パンチ刃４４３ｂの連結部４６２ｂ側とは反対側の端部から膨出するように形成された第２ツマミ４４５ｂと、を有している。当該第１ツマミ４４５ａおよび第２ツマミ４４５ｂが設けられていることで、紙葉類Ｐを綴じている状態からの押さえ具４０２の取り外しや、紙葉類Ｐにパンチ穴を開けた状態からの押さえ具４０２の取り外しが容易になる。
【００９２】
保持部４４６ａ、４４６ｂは、ベースパネル４２０の第１収容溝４２２ａに対応するようにして設けられた第１保持部４４６ａと、第２収容溝４２２ｂに対応するようにして設けられた第２保持部４４６ｂと、を有している。
【００９３】
上記参考例に係る押さえ具４０２およびファイル４００においても、綴じ動作の際には、ベースパネル４２０に設けられた第１挿入孔４２４ａと第２挿入孔４２４ｂを、第１綴じ足４９１と第２綴じ足４９２の挿入対象として用いることで、紙葉類Ｐを綴じることを可能としつつ、パンチ動作の際には、押さえ具４０２の回動パネル４４０に設けられた第１パンチ刃４４３ａと第２パンチ刃４４３ｂの挿入対象として用いることで、紙葉類Ｐにパンチ穴を開けることを可能としている。
【００９４】
このため、綴じ動作とパンチ動作において、押さえ具４０２のベースパネル４２０に設けられた第１挿入孔４２４ａと第２挿入孔４２４ｂを流用することが可能になっている。
【符号の説明】
【００９５】
１  綴じ具
２  押さえ具（綴じ具用の押さえ具）
１０  スライド（保持部）
１１  第１スライダ（第１保持部）
１１ｘ  第１係止溝（係止手段）
１２  第２スライダ（第２保持部）
１２ｘ  第２係止溝（係止手段）
１５  上方操作部
１７  第１下方ガイド爪
１８  第２下方ガイド爪
２０  ベース部
２１  押さえ板本体
２４  挿入孔
２４ａ  第１挿入孔
２４ｂ  第２挿入孔
２５  連絡部
２６  ベース側連結部
２８ａ  第１スライダ用隙間
２８ｂ  第２スライダ用隙間
４０  カバー部（孔あけ部）
４１  カバー本体
４３ａ  第１パンチ刃（孔あけ用挿入部分）
４３ｂ  第２パンチ刃（孔あけ用挿入部分）
４４ｘ  第１係止爪（係止手段）
４５ｘ  第２係止爪（係止手段）
９０  綴じ足
９１  第１綴じ足
９２  第２綴じ足
１００  ファイル
２０２  押さえ具（綴じ具用押さえ具）
２４０  カバー部
Ｆ  ファイル本体
Ｐ  紙葉類（被綴じ物）
【先行技術文献】
【特許文献】
【００９６】
特許文献１：特開２０１６−１１２８７６号公報
【図１】
2019111756.tif 000003
【図２】
2019111756.tif 000004
【図３】
2019111756.tif 000005
【図４】
2019111756.tif 000006
【図５】
2019111756.tif 000007
【図６】
2019111756.tif 000008
【図７】
2019111756.tif 000009
【図８】
2019111756.tif 000010
【図９】
2019111756.tif 000011
【図１０】
2019111756.tif 000012
【図１１】
2019111756.tif 000013
【図１２】
2019111756.tif 000014
【図１３】
2019111756.tif 000015
【図１４】
2019111756.tif 000016
【図１５】
2019111756.tif 000017